(57)【特許請求の範囲】
【請求項１】
下降可能で、レンズ吸着治具が装着される嵌着凹部が設けられた治具装着アームを有し、前記治具装着アームに前記レンズ吸着治具が保持された状態で、前記治具装着アームが下降することにより、前記治具装着アームの下方に設置された眼鏡レンズに前記レンズ吸着治具を装着させる軸出器において、
前記嵌着凹部は、前記レンズ吸着治具とは異なる外径の他の種類のレンズ吸着治具を装着補助具を介して保持するものであり、
前記装着補助具は、円柱状であり外周面が前記嵌着凹部に嵌着保持される凸部が形成されている上端部と、前記他の種類のレンズ吸着治具を嵌着保持する凹部が形成されている下端部と、を有し、前記凸部の外径と前記凹部の内径とは大きさが異なることを特徴とする軸出器。
【請求項２】
前記嵌着凹部には、前記嵌着凹部の直径方向に延びた、周方向の位置決めをする直線板状のアーム位置決め突起が設けられ、
前記装着補助具の前記上端部には、前記上端部の直径方向に延びた、前記アーム位置決め突起に嵌着される補助具位置決め溝が設けられ、
前記装着補助具の前記下端部には、前記凹部に、前記補助具位置決め溝と平行であって、前記他の種類のレンズ吸着治具に形成された位置決め溝に嵌着する補助具位置決め突起が設けられていることを特徴とする請求項１に記載の軸出器。
【請求項３】
前記下端部の周壁のうち、前記補助具位置決め突起の両端部に対応する位置に切欠きが設けられていることを特徴とする請求項２に記載の軸出器。
【発明の詳細な説明】
【技術分野】
【０００１】
この発明は、軸出器に関する発明であり、詳細には、玉型形状測定装置を用いてレンズの形状を測定する場合や、レンズ研削加工装置を用いてレンズを研削加工する場合に、未加工の眼鏡レンズにレンズ吸着治具（加工用レンズブロック、吸着盤、吸着カップ等とも称する）を装着させる軸出器に関する発明である。
【背景技術】
【０００２】
従来から、玉型形状測定装置を用いてダミーレンズや度数のある眼鏡レンズの形状を測定する場合や、レンズ研削加工装置を用いて未加工の眼鏡レンズを研削加工する場合には、ダミーレンズ等にレンズ吸着治具を装着させてダミーレンズ等の保持を行い、このレンズ吸着治具を玉型形状測定装置やレンズ研削加工装置の内部に固定させている。
【０００３】
また、ダミーレンズ等にレンズ吸着治具を装着させる際には、ダミーレンズ等の幾何学中心（度数のある眼鏡レンズの場合には光学中心）とレンズ吸着治具の中心とを一致させて、ダミーレンズ等の屈折面にレンズ吸着治具を装着させる軸出器が用いられている。
【０００４】
このような軸出器としては、例えば、上方に開口するベースと、このベースの上部開口に設けられた光透過プレートと、ベース内に配設された照明光源と、ベースの側部に設けられた支柱と、光透過プレート上に設けられ且つ三角形状に配列された３本の軸状のレンズ受と、この支柱を中心に回動してレンズ受の上方のプレート使用位置とこのプレート使用位置から水平方向に退避したプレート退避位置との間で移動可能に設けられた半透明な幾何学中心設定用の目盛りプレートと、レンズ受の上方の治具装着位置とこの治具装着位置から水平方向に退避した治具退避位置との間で、支柱を中心に回動可能に設けられた治具装着アームと、を備えたものがある。
【０００５】
また、治具装着アームは治具装着位置で下降可能であり、治具装着アームが治具装着位置で下降することにより、治具装着アームの先端に保持させたレンズ吸着治具をレンズ受上のダミーレンズ等に装着させることができるように構成されている（例えば、特許文献１）。
【先行技術文献】
【特許文献】
【０００６】
【特許文献１】特開２００４−３０１６７６号公報
【発明の概要】
【発明が解決しようとする課題】
【０００７】
ところで、玉型形状測定装置やレンズ研削加工装置には、それぞれの装置メーカごとに専用のレンズ吸着治具が用意されていて、これら専用のレンズ吸着治具は互いにサイズ等が異なるものとなっている。
【０００８】
この結果、装置メーカごとに専用のレンズ吸着治具をレンズに装着させる軸出器も、装置メーカごとに個別に準備する必要があった。
【０００９】
すなわち、眼鏡店や専用の研削加工工場等において、複数の異なるメーカの玉型形状測定装置やレンズ研削加工装置に対応するためには、複数の軸出器を異なるメーカ毎に揃えておく必要があり、コスト高になるという問題があった。特に、規模の小さい眼鏡店にとっては、１台の軸出器で複数のレンズ吸着治具に対応できることが長い間望まれていた。
【００１０】
本発明は上記事情に鑑みなされたものであり、仕様の異なる複数の種類のレンズ吸着治具を保持して、ダミーレンズや眼鏡レンズへのレンズ吸着治具の装着を行うことができる軸出器を提供することを目的とするものである。
【課題を解決するための手段】
【００１１】
本発明に係る軸出器にあっては、治具装着アームの嵌着凹部に装着補助具を介してレンズ吸着治具を嵌着保持させるものであって、この装着補助具は、その上端部に嵌着凹部に嵌着保持される凸部を有し、その下端部にレンズ吸着治具を嵌着保持する凹部を有し、この凸部の外径と凹部の内径とは大きさが異なるものである。
【００１２】
すなわち、本発明に係る軸出器は、下降可能で、レンズ吸着治具が装着される嵌着凹部が設けられた治具装着アームを有し、前記治具装着アームに前記レンズ吸着治具が保持された状態で、前記治具装着アームが下降することにより、前記治具装着アームの下方に設置された眼鏡レンズに前記レンズ吸着治具を装着させる軸出器において、前記嵌着凹部は、前記レンズ吸着治具とは異なる外径の他の種類のレンズ吸着治具を装着補助具を介して保持するものであり、前記装着補助具は、円柱状であり外周面が前記嵌着凹部に嵌着保持される凸部が形成されている上端部と、前記他の種類のレンズ吸着治具を嵌着保持する凹部が形成されている下端部と、を有し、前記凸部の外径と前記凹部の内径とは大きさが異なることを特徴とする。
このように構成された本発明に係る軸出器によれば、レンズ吸着治具のサイズ等が治具装着アームの嵌着凹部のサイズ等に対応していないことによって、レンズ吸着治具を嵌着凹部に直接保持させることができない場合には、装着補助具を介することにより、このレンズ吸着治具を治具装着アームに保持させることができる。
一方、レンズ吸着治具のサイズ等が治具装着アームの嵌着凹部のサイズ等に対応している場合には、装着補助具を用いることなく、嵌着凹部に直接レンズ吸着治具を保持させることができる。
このため、装着補助具を用いる場合と装着補助具を用いない場合とを使い分けることにより、仕様の異なる複数の種類のレンズ吸着治具を保持して、ダミーレンズや眼鏡レンズへのレンズ吸着治具の装着を行うことができる。
また、本発明に係る軸出器においては、前記嵌着凹部には、前記嵌着凹部の直径方向に延びた、周方向の位置決めをする直線板状のアーム位置決め突起が設けられ、前記装着補助具の前記上端部には、前記上端部の直径方向に延びた、前記アーム位置決め突起に嵌着される補助具位置決め溝が設けられ、前記装着補助具の前記下端部には、前記凹部に、前記補助具位置決め溝と平行であって、前記他の種類のレンズ吸着治具に形成された位置決め溝に嵌着する補助具位置決め突起が設けられている構成とすることが好ましい。
【００１３】
このように構成された本発明に係る軸出器によれば、嵌着凹部にアーム位置決め突起が設けられていることにより、装着補助具を用いずに嵌着凹部に直接レンズ吸着治具を保持させる場合には、このアーム位置決め突起にレンズ吸着治具に形成された位置決め溝を嵌着させて、レンズ吸着治具の周方向の位置決めを行うことができる。
【００１４】
さらに、装着補助具の上端部には補助具位置決め溝が設けられ、装着補助具の下端部には補助具位置決め溝と平行である補助具位置決め突起が設けられていることにより、嵌着凹部に装着補助具を介してレンズ吸着治具を保持させる場合であっても、装着補助具を用いない場合と同様に、レンズ吸着治具の周方向の位置決めを行うことができる。
また、本発明に係る軸出器においては、前記下端部の周壁のうち、前記補助具位置決め突起の両端部に対応する位置に切欠きが設けられている構成とすることが好ましい。
このように構成された本発明に係る軸出器によれば、補助具位置決め突起の両端部に対応する位置に切欠きが設けられていることにより、装着補助具を用いてレンズ吸着治具を保持する場合であって、レンズ吸着治具に形成された位置決め溝と下端部に設けられた補助具位置決め突起とを嵌着させる際に、これら位置決め溝と補助具位置決め突起との位置関係を切欠きを介して調整することができるため、装着補助具の下端部に容易かつ確実にレンズ吸着治具を嵌着保持させることができる。
【発明の効果】
【００１５】
本発明に係る軸出器によれば、仕様の異なる複数の種類のレンズ吸着治具を保持して、ダミーレンズや眼鏡レンズへのレンズ吸着治具の装着を行うことができる。
【図面の簡単な説明】
【００１６】
【図１】本実施形態の軸出器１００の斜視図である。
【図２】図１のＡ−Ａ線断面図である。
【図３】図１の吸着治具取付部１５から装着補助具１７およびレンズ吸着治具１８を取り外した状態で、吸着治具取付部１５を下方から見た状態を示す拡大斜視図である。
【図４】図１の装着補助具１７とレンズ吸着治具１８とを結合させた状態での拡大斜視図である。
【図５】図１の装着補助具１７とレンズ吸着治具１８とを分離した状態での拡大斜視図である。
【図６】図５の装着補助具１７の下端部２０の構造を示す拡大斜視図である。
【図７】図３の嵌着凹部１６にレンズ吸着治具１８´を直接嵌着保持させた状態を示す断面図である。
【図８】図７のレンズ吸着治具１８´の構造を示す拡大斜視図である。
【図９】本実施形態の軸出器１００の軸出し作用を説明するための第１作用図である。
【図１０】本実施形態の軸出器１００の軸出し作用を説明するための第２作用図である。
【発明を実施するための形態】
【００１７】
以下、図１〜図１０に基づいて、本発明の一実施形態としての軸出器１００について説明する。
［軸出器全体の構成］
図１は、本実施形態の軸出器１００の斜視図であり、図２は、図１のＡ−Ａ線断面図であり、図３は、図１の吸着治具取付部１５から装着補助具１７およびレンズ吸着治具１８を取り外した状態で、吸着治具取付部１５を下方から見た状態を示す拡大斜視図である。
【００１８】
本実施形態の軸出器１００は、図１に示すように、軸出器のベース部材である筐体としての装置本体（ベース）１と、上下に延びる円筒状突部２と、を有している。
この円筒状突部２の上部開口２ａは乳白色の光透過プレート３で閉成されている。また、この光透過プレート３の上面の中央部には、上方に突出した３つのレンズ受４がレンズ載置台として一体に設けられている。この３つのレンズ受４は、互いに近接して、正三角形の頂点位置となるように配置されている。
そして、光透過プレート３の下方には、装置本体１内に配設した照明光源（図示せず）が取り付けられている。この照明光源は、装置本体１の側部に設けた電源スイッチ５で点灯、消灯するようになっている。
また、装置本体１の上壁１ａには支柱取付筒部６が形成され、支柱取付筒部６には上方に向けた支柱７の下端部が固定されている。この支柱７の上部には、軸線（支柱７が延びる方向）回りに回動可能な筒体８が、図示しないコイルスプリングで上方に付勢されていて軸線方向の所定範囲内で移動可能（下降可能）に取り付けられている。
また、筒体８の下部には水平方向に延びる型板載置板９が設けられている。この型板載置板９には円形で透明な透光板部９ａが形成されている。また、型板載置板９の下部側縁にはガイド突起１０が設けられている。
さらに、このガイド突起１０には環状ガイド溝１０ａが形成されており、この環状ガイド溝１０ａには、透明なスライドプレート１１が支柱７に対して進退動可能（図１に示す矢印Ｙ方向に進退動可能）となるように、スライドプレート１１の側縁部が係合保持されている。
また、スライドプレート１１の先端部及び支柱側端部の下面にはガイド突起１２が設けられている。さらに、このガイド突起１２には環状ガイド溝１２ａが形成されており、この環状ガイド溝１２ａには、目盛りプレート１３がスライドプレート１１の移動方向と直交する水平方向に移動可能（図１に示す矢印Ｘ方向に進退動可能）となるように、目盛りプレート１３の側縁部が係合保持されている。この目盛りプレート１３は透明なアクリル板によって形成されていて、この目盛りプレート１３には、後述する図９および図１０に示すような目盛１３ａが付されている。
また、筒体８の上部には、型板載置板９に対して直交する方向に延びる治具装着アーム１４が一体に設けられている。上述のように、筒体８は下降可能であるため、この筒体８と一体に設けられている治具装着アーム１４もまた下降可能である。
そして、この治具装着アーム１４の先端部の下面側には、吸着治具取付部１５が設けられている。この吸着治具取付部１５には、図２および図３に示すように、内径がＤ１である嵌着凹部１６と、嵌着凹部１６の直径方向に延びた、直線板状のアーム位置決め突起２９と、が設けられている。
［装着補助具の詳細な構成］
次に、嵌着凹部１６に嵌着保持される装着補助具１７の詳細な構成について説明する。
図４は、図１の装着補助具１７とレンズ吸着治具１８とを結合させた状態での拡大斜視図であり、図５は、図１の装着補助具１７とレンズ吸着治具１８とを分離した状態での拡大斜視図であり、図６は、図５の装着補助具１７の下端部２０の構造を示す拡大斜視図である。
装着補助具１７は、図４および図５に示すように、上端部１９と下端部２０とを有している。その上端部１９には、外径がＤ２の円柱状であって、その外周面が嵌着凹部１６に嵌着保持される凸部２５が形成されている。この凸部２５の外径Ｄ２は、嵌着凹部１６の内径Ｄ１と同じ大きさである（Ｄ１＝Ｄ２）。また、この上端部１９には、上端部１９の直径方向に延びた補助具位置決め溝２１が設けられている。
その下端部２０は、図６に示すように、内径がＤ３である凹部２２が形成されている。この凹部２２の内径Ｄ３は、嵌着凹部１６の内径Ｄ１および凸部２５の外径Ｄ２よりも大きい（Ｄ１＝Ｄ２＜Ｄ３）。
また、この下端部２０の凹部２２には、上端部１９に設けられた補助具位置決め溝２１と平行である補助具位置決め突起２３が設けられている。さらに、下端部２０の周壁のうち、補助具位置決め突起２３の両端部に対応する位置には切欠き２４が設けられている。
【００１９】
次に、本実施形態の軸出器１００の作用について、［レンズ吸着治具の保持作用］と［軸出し作用］とに分けて説明する。
［レンズ吸着治具の保持作用］
レンズ吸着治具の保持作用について、初めに、例えば、図５に示すように、図示しないダミーレンズ等に装着される面である装着面２６と、その外径がＤ４である軸部２７と、軸部２７に形成された位置決め溝２８と、が設けられている特定の種類のレンズ吸着治具１８を用いる場合について説明する。なお、この軸部２７の外径Ｄ４は、図６に示す凹部２２の内径Ｄ３と同じ大きさである（Ｄ３＝Ｄ４）。
このような場合には、軸部２７の外径Ｄ４は嵌着凹部１６の内径Ｄ１よりも大きいため、このレンズ吸着治具１８を嵌着凹部１６に直接保持させることができない。このため、図２に示すように、装着補助具１７を介してレンズ吸着治具１８を嵌着凹部１６に保持させる。
【００２０】
まず、図４および図５に示すように、装着補助具１７の下端部２０に設けられた凹部２２にレンズ吸着治具１８の軸部２７を嵌着保持させる。このとき、下端部２０の周壁に設けられた切欠き２４を介して、レンズ吸着治具１８に形成された位置決め溝２８と補助具位置決め突起２３との位置関係を調整しながら、位置決め溝２８に補助具位置決め突起２３を嵌着させる。
【００２１】
そして、図２に示すように、レンズ吸着治具１８を嵌着保持した装着補助具１７の上端部１９に形成された凸部２５を、治具装着アーム１４の嵌着凹部１６に嵌着保持させる。このとき、上端部１９に設けられた補助具位置決め溝２１に嵌着凹部１６に設けられたアーム位置決め突起２９を嵌着させる。
【００２２】
これにより、装着補助具１７を介してレンズ吸着治具１８を嵌着凹部１６に保持させることができる。なお、先に装着補助具１７の上端部１９の凸部２５を嵌着凹部１６に取り付けて、その後に、レンズ吸着治具１８を装着補助具１７の下端部２０の凹部２２に取り付けても構わない。
次に、例えば、図７および図８に示すように、図示しないダミーレンズ等に装着される面である装着面２６´、その外径がＤ４´である軸部２７´と、軸部２７´に形成された位置決め溝２８´と、が設けられているレンズ吸着治具１８´を用いる場合について説明する。なお、この軸部２７´の外径Ｄ４´は、図３に示す嵌着凹部１６の内径Ｄ１と同じ大きさである（Ｄ１＝Ｄ４´）。
このような場合には、レンズ吸着治具１８´の軸部２７´の外径Ｄ４´が嵌着凹部１６の内径Ｄ１と同じであるため、図７に示すように、装着補助具１７を用いることなく、レンズ吸着治具１８´に形成された位置決め溝２８´に嵌着凹部１６に設けられたアーム位置決め突起２９を嵌着させて、レンズ吸着治具１８´を嵌着凹部１６に直接保持させることができる。
［軸出し作用］
ダミーレンズ等の幾何学中心（度数のある眼鏡レンズの場合には光学中心）とレンズ吸着治具の中心とを一致させて、ダミーレンズ等の屈折面にレンズ吸着治具１８、１８´を装着させる軸出し作用について説明する。
図９は、本実施形態の軸出器１００の軸出し作用を説明するための第１作用図であり、図１０は、本実施形態の軸出器１００の軸出し作用を説明するための第２作用図である。
【００２３】
上記のように、装着補助具１７を介して嵌着凹部１６にレンズ吸着治具１８が保持された状態、あるいは、装着補助具１７を用いずに直接嵌着凹部１６にレンズ吸着治具１８が保持された状態で、ダミーレンズ等にレンズ吸着治具を取り付けるには、まず、レンズ位置決め作業を行う必要がある。
このレンズ位置決め作業では、図示しないダミーレンズ等をレンズ受４上に載置すると共に、図９に示すように、支柱７を中心に回動して、目盛りプレート１３をレンズ受４上方のプレート使用位置に移動させて、電源スイッチ５をＯＮにして下方の照明光源を点灯させる。
これにより、ダミーレンズ等の玉型形状が目盛りプレート１３に投影される。なお、吸着位置を示す３つの印点マークが表面にレンズメータにより施されている円形の未加工眼鏡レンズの場合には、図９および図１０に示すように、３つの印点マーク（Ｍ１、Ｍ２、Ｍ３）が目盛りプレート１３に投影される。
【００２４】
さらに、このように投影されたダミーレンズ等の玉型形状の幾何学中心（度数のある眼鏡レンズの場合には光学中心）がレンズ吸着位置の中心１３ｂに位置するように、ダミーレンズ等を水平方向に移動させて、目盛りプレート１３に投影された玉型形状を移動させる。
【００２５】
このようなレンズ位置決め作業が終了後に、図１０に示すように、支柱７を中心に回動して目盛りプレート１３をレンズ受４上から退避させる。そして、治具装着アーム１４をレンズ受４上の治具吸着位置に移動させ、治具装着アーム１４を押し下げて下降させることにより、治具装着アーム１４の嵌着凹部１６に保持されたレンズ吸着治具１８、１８´がレンズ受４上のダミーレンズ等に装着される。
【００２６】
このように構成された本実施形態に係る軸出器１００によれば、レンズ吸着治具１８´を直接保持することができる嵌着凹部１６は、レンズ吸着治具１８´とは異なる外径の他の種類のレンズ吸着治具１８を装着補助具１７を介して保持するものであり、装着補助具１７は、円柱状であり外周面が嵌着凹部１６に嵌着保持される凸部２５が形成されている上端部１９と、レンズ吸着治具１８を嵌着保持する凹部２２が形成されている下端部２０と、を有し、凸部２５の外径Ｄ２と凹部２２の内径Ｄ３とは大きさが異なることにより、装着補助具１７を用いる場合と装着補助具１７を用いない場合とを使い分けて、仕様の異なる複数の種類のレンズ吸着治具１８、１８´を保持して、ダミーレンズや眼鏡レンズへのレンズ吸着治具１８、１８´の装着を行うことができる。
【００２７】
また、このように構成された本発明に係る軸出器１００によれば、嵌着凹部１６にアーム位置決め突起２９が設けられていることにより、装着補助具１７を用いずに嵌着凹部１６に直接レンズ吸着治具１８´を保持させる場合には、このアーム位置決め突起２９にレンズ吸着治具１８´に形成された位置決め溝２８´を嵌着させて、レンズ吸着治具１８´の周方向の位置決めを行うことができる。
【００２８】
さらに、装着補助具１７の上端部１９には補助具位置決め溝２１が設けられ、装着補助具１７の下端部２０には補助具位置決め溝２１と平行である補助具位置決め突起２３が設けられていることにより、嵌着凹部１６に装着補助具１７を介してレンズ吸着治具１８を保持させる場合であっても、装着補助具１７を用いない場合と同様に、レンズ吸着治具１８の周方向の位置決めを行うことができる。
そして、このように構成された本発明に係る軸出器１００によれば、下端部２０の周壁のうち、補助具位置決め突起２３の両端部に対応する位置に切欠き２４が設けられていることにより、装着補助具１７を用いてレンズ吸着治具１８を保持する場合であって、レンズ吸着治具１８に形成された位置決め溝２８と下端部２０に設けられた補助具位置決め突起２３とを嵌着させる際に、これら位置決め溝２８と補助具位置決め突起２３との位置関係を切欠き２４を介して調整することができるため、装着補助具１７の下端部２０に容易かつ確実にレンズ吸着治具１８を嵌着保持させることができる。
【００２９】
なお、本発明の実施形態では、ダミーレンズ等のレンズ位置決め作業などを手動で行う軸出器１００について説明したが、本発明に係る軸出器は上述のような形態に限定されず、例えば、特開２００５−２９２４８９号公報に開示されるような、レンズ吸着治具の装着位置を自動検出する軸出器にも適用することができる。
【符号の説明】
【００３０】
１７  装着補助具
１８  レンズ吸着治具
１９  上端部
２０  下端部
２１  補助具位置決め溝
２３  補助具位置決め突起
２４  切欠き
２５   凸部
２６  装着面
２７  軸部
２８  位置決め溝
【図１】
0005415884.tif 000002
【図２】
0005415884.tif 000003
【図３】
0005415884.tif 000004
【図４】
0005415884.tif 000005
【図５】
0005415884.tif 000006
【図６】
0005415884.tif 000007
【図７】
0005415884.tif 000008
【図８】
0005415884.tif 000009
【図９】
0005415884.tif 000010
【図１０】
0005415884.tif 000011